【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第２部位は、前記接続端子を保持する端子保持部材を移動可能に有しており、
前記端子保持部材は、第１被位置決め部を有し、
前記第１部位は、前記閉状態において前記第１被位置決め部を前記第１面に沿う方向において位置決めする第１位置決め部を有する
センサ用リーダ。
【請求項２】
前記第１部位および前記第２部位は相対移動可能に連結されており、
前記端子保持部材は、第２被位置決め部を有し、
前記第１部位は、前記閉状態において前記第２被位置決め部を前記第１面に沿う平面方向において位置決めする第２位置決め部を有し、
開状態から前記閉状態へ遷移するときの前記第１被位置決め部と前記第１位置決め部との相対移動量に対する前記開状態における前記第１被位置決め部と前記第１位置決め部との距離の比が、前記開状態から前記閉状態へ遷移するときの前記第２被位置決め部と前記第２位置決め部との相対移動量に対する前記開状態における前記第２被位置決め部と前記第２位置決め部との距離の比よりも小さく、
前記平面方向において、前記第２被位置決め部の最大長さに対する前記第２被位置決め部と前記第２位置決め部との隙間の比は、前記第１被位置決め部の最大長さに対する前記第１被位置決め部と前記第１位置決め部との隙間の比よりも小さい
請求項１に記載のセンサ用リーダ。
【請求項３】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
前記第１部位は、前記センサを前記第１面に沿う方向において位置決めする位置決め部を有し、
前記第２部位と前記第１部位とが離れた状態である開状態から前記第２部位と前記第１部位とが近接した状態である閉状態への遷移によって、前記第１面に位置する前記センサの前記外部端子に対して前記接続端子が接する
センサ用リーダ。
【請求項４】
前記第２部位は、前記接続端子を保持する端子保持部材を有しており、
前記位置決め部は、前記閉状態において、前記端子保持部材も前記第１面に対して位置決めする
請求項３に記載のセンサ用リーダ。
【請求項５】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第２部位は、前記接続端子を保持する端子保持部材を有しており、
前記第１部位は、前記閉状態において、前記端子保持部材を前記第１面に対して位置決めする位置決め部材を有し、
前記位置決め部材は、前記第１面に設けられたピン状体であり、
前記端子保持部材は、前記位置決め部材の先端部が嵌まる位置決め用孔部または位置決め用凹部を有する
センサ用リーダ。
【請求項６】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記第２面および前記センサに対して前記第１面と前記第２面との対向方向に重なる位置に導電性の第１シールドを有するとともに、前記第１面に、前記閉状態において、前記センサの外側に位置し、前記第２面に当接する導電性の第１ガスケットを有し、
前記第２部位は、前記閉状態において前記第１面および前記センサに対して前記対向方向に重なる位置に導電性の第２シールドを有するとともに、前記第２面に、前記閉状態において、前記センサの外側に位置し、前記第１面に当接する導電性の第２ガスケットを有する
センサ用リーダ。
【請求項７】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有するとともに、前記第１面に前記閉状態において前記第２部位を取り囲む周壁部を有し、
前記第２部位は、前記閉状態において前記センサに対して前記対向方向に重なる位置に導電性の第２シールドを有し、
前記周壁部は、前記閉状態において前記センサに対して前記対向方向の横方向に重なる位置に導電性の第３シールドを有する
センサ用リーダ。
【請求項８】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有し、
前記第２部位は、前記閉状態において前記センサに対して前記対向方向に重なる位置に導電性の第２シールドを有するとともに、前記第２面に前記閉状態において前記第１部位を取り囲む周壁部を有し、
前記周壁部は、前記閉状態において前記センサに対して前記対向方向の横方向に重なる位置に導電性の第３シールドを有する
センサ用リーダ。
【請求項９】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有するとともに、前記第１面に前記閉状態において前記センサの外側に位置する溝部を有し、
前記第２部位は、前記閉状態において前記センサに対して前記対向方向に重なる位置に導電性の第２シールドを有するとともに、前記第２面に前記閉状態において前記溝部に収容される壁部を有し、
前記壁部は、前記閉状態において前記センサに対して前記対向方向の横方向に重なる位置に導電性の第４シールドを有する
センサ用リーダ。
【請求項１０】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有するとともに、前記第１面に前記閉状態において前記センサの外側に位置する壁部を有し、
前記第２部位は、前記閉状態において前記センサに対して前記対向方向に重なる位置に導電性の第２シールドを有するとともに、前記第２面に前記閉状態において前記壁部を収容する溝部を有し、
前記壁部は、前記閉状態において前記センサに対して前記対向方向の横方向に重なる位置に導電性の第４シールドを有する
センサ用リーダ。
【請求項１１】
外部端子を有するセンサが着脱されるリーダであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサを介して前記接続端子と対向する、前記センサの加熱および冷却の少なくとも一方が可能な温度調整部を有する
センサ用リーダ。
【請求項１２】
前記第１部位は、前記センサの加熱および冷却の少なくとも一方が可能な温度調整部を有する
請求項１〜１０のいずれか１項に記載のセンサ用リーダ。
【請求項１３】
前記第１部位および前記第２部位は、互いに独立した部位である
請求項１及び３〜１１のいずれか１項に記載のセンサ用リーダ。
【請求項１４】
前記第１部位および前記第２部位は、前記閉状態において一方が他方に嵌合する構成である
請求項１３に記載のセンサ用リーダ。
【請求項１５】
前記第１部位および前記第２部位は、前記第２面を絶対座標系の上方に向けた前記第２部位に対して前記第１部位が可動されて前記閉状態とされる構成である
請求項１〜１４のいずれか１項に記載のセンサ用リーダ。
【請求項１６】
前記第１部位および前記第２部位は、絶対座標系の左右方向に開閉する構成である
請求項１〜１４のいずれか１項に記載のセンサ用リーダ。
【請求項１７】
前記第１部位は、電気系に係る構成が設けられていない基体である
請求項１〜５に記載のセンサ用リーダ。
【請求項１８】
操作部および表示部の少なくとも一方をさらに有する
請求項１〜１７のいずれか１項に記載のセンサ用リーダ。
【請求項１９】
請求項１〜１８のいずれか１項に記載のセンサ用リーダと、
前記センサ用リーダからの信号を処理するコンピュータと、
を有する信号処理システム。
【請求項２０】
センサチップと、
該センサチップが実装された支持基板と、
該支持基板を覆い、流路を構成するカバーと
を有する、センサ用リーダに着脱されるセンサであって、
前記センサチップは、
前記支持基板に固定された圧電基板と、
該圧電基板の上面に配置された第１ＩＤＴと、
前記圧電基板の上面の前記第１ＩＤＴによって励振される弾性波の伝搬路上に配置された第２ＩＤＴとを有し、
前記支持基板は、
前記第１ＩＤＴに電気的に接続されるとともに前記第１ＩＤＴから見て前記伝搬路に沿った方向のうち前記第２ＩＤＴが位置する方向とは反対側に配置された、第１外部端子と、
前記第２ＩＤＴに電気的に接続されるとともに前記第２ＩＤＴから見て前記伝搬路に沿った方向のうち前記第１ＩＤＴが位置する方向とは反対側に配置された、第２外部端子とを有し、
前記第１外部端子は、前記伝搬路に直交する配列方向に複数配列されて設けられており、少なくとも１つは、前記配列方向における位置が前記圧電基板の前記配列方向における配置範囲に収まっており、
前記第２外部端子は、前記配列方向に複数配列されて設けられており、少なくとも１つは、前記配列方向における位置が前記圧電基板の前記配列方向における配置範囲に収まっており、
前記流路は、前記支持基板上のうちの前記配列方向の一方側において前記センサの外部に開口する流入口から前記第１ＩＤＴと前記第２ＩＤＴとの間まで延びている
センサ。
【請求項２１】
前記流路は、屈曲している
請求項２０に記載のセンサ。
【請求項２２】
前記センサチップの上面に前記流路の下面が位置している
請求項２０または２１に記載のセンサ。
【請求項２３】
請求項１〜１８のいずれか１項に記載のセンサ用リーダと、
前記センサ用リーダに着脱されるセンサと、
を有するセンサユニット。
【請求項２４】
前記センサは、前記位置決め部材が嵌まる位置決め用貫通孔を有する
請求項５を引用する請求項２３に記載のセンサユニット。
【請求項２５】
前記温度調整部は、前記第１面に配置された平板状の熱電変換素子を有し、
前記閉状態において、前記センサは前記熱電変換素子上に配置されている
請求項１１または１２を引用する請求項２３に記載のセンサユニット。
【請求項２６】
前記センサは、前記閉状態において、前記第２部位によって前記温度調整部に押し付けられる
請求項１１もしくは１２を引用する請求項２３、または請求項２５に記載のセンサユニット。
【請求項２７】
外部端子を有するセンサと、該センサが着脱されるリーダとを有するセンサユニットであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有し、
前記第２部位は、前記閉状態において前記センサに対して前記対向方向に重なる位置に導電性の第２シールドを有し、
前記センサは、前記第１シールドおよび前記第２シールドに挟まれる領域にのみ基準電位層を有する
センサユニット。
【請求項２８】
外部端子を有するセンサと、該センサが着脱されるリーダとを有するセンサユニットであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有し、
前記第２部位は、前記閉状態において前記センサに対して前記対向方向に重なる位置に導電性の第２シールドを有し、
前記センサは、前記第１シールドおよび前記第２シールドに挟まれる領域にのみセンサチップおよび前記外部端子を有する
センサユニット。
【請求項２９】
外部端子を有するセンサと、該センサが着脱されるリーダとを有するセンサユニットであって、
前記リーダは、第１面を有する第１部位、および、該第１部位に対して変位可能であり、且つ第２面と、該第２面に位置する接続端子とを有する第２部位を有し、
該第２部位と前記第１部位とが近接した状態である閉状態において、前記第２面と前記第１面との間に挟まれた前記センサの前記外部端子と前記接続端子とが接し、
前記第１部位は、前記閉状態において前記センサに対して前記第１面と前記第２面との対向方向に重なる位置に導電性の第１シールドを有し、
前記第２部位は、前記閉状態において前記センサに対して前記対向方向に重なる位置に導電性の第２シールドを有し、
前記センサは、前記第１シールドおよび前記第２シールドに挟まれる領域にのみ、前記外部端子と、平面視において前記外部端子を囲む基準電位層とを有する
センサユニット。
【請求項３０】
前記外部端子と前記接続端子とは、前記閉状態において互いに接続される複数の組み合わせを含み、数および前記閉状態における前記第１面に沿う方向の位置の少なくとも一方が互いに異なる
請求項２３〜２９のいずれか１項に記載のセンサユニット。
【請求項３１】
請求項２０〜２２のいずれか１項に記載のセンサと、該センサが着脱されるリーダとを有するセンサユニットであって、
前記リーダは、第１面を有する第１部位、および、該第１部位に対して変位可能であり、且つ第２面と、該第２面に位置する第１接続端子および第２接続端子とを有する第２部位を有し、
該第２部位と前記第１部位とが近接した状態である閉状態において、前記第２面と前記第１面との間に挟まれた前記センサの前記第１外部端子と前記第１接続端子とが接し、前記第２外部端子と前記第２接続端子とが接する
センサユニット。
【請求項３２】
前記センサが、請求項２０〜２２のいずれか１項に記載のセンサである
請求項２３〜３０のいずれか１項に記載のセンサユニット。
【請求項３３】
閉状態において前記センサの全体が前記第１部位と前記第２部位との間に位置する
請求項２３〜３２のいずれか１項に記載のセンサユニット。
【手続補正２】
【補正対象書類名】明細書
【補正対象項目名】発明の名称
【補正方法】変更
【補正の内容】
【発明の名称】センサユニット、センサ用リーダ、センサおよび信号処理システム